(57)【要約】      （修正有）【課題】  携帯電話側において特別な仕組みを必要とせず、遠隔からの簡便な通信技術を提供する。【解決手段】  遠隔通信システムＡは、自宅に設置されたＳＴＢ１と、ユーザが携帯する携帯電話機４１とを有している。携帯電話機４１は通話機能と通信機能を有している。ＳＴＢ１は、アンテナ３と、チューナ５と、電話回線との間でのデータのやり取りを行うためのインターフェイス回路２５と、を有している。携帯電話機４１とＳＴＢ１とは、電話回線を介して、通話及び通信が可能である。上記インターフェイス回路２５は、１）ＳＴＢシステムを通話モードにすることができる、２）携帯電話機４１からコマンドを受け取る、３）受け取ったコマンドを携帯電話機４１のキー操作と関連付けるコードに変換し、４）例えば、ＴＶプログラムを携帯電話機に対して公衆回線を介して音声又は映像の少なくともいずれか一方により送る、などの機能をＳＴＢ１に付与する。【選択図】  図１
2006115067.tif 000002
【特許請求の範囲】
【請求項１】
放送番組を選局するチューナ部と、
公衆回線と接続するためのインターフェイス部と、
該インターフェイス部と前記公衆回線とを介して外部の携帯端末からの放送番組関連情報の送信要求に応じて、該当する放送番組関連情報を前記チューナ部により選局された番組放送から抽出し前記公衆回線を介して送信要求元の前記外部の携帯端末に対して送信する制御を行う制御部と
を有する電子機器。
【請求項２】
前記放送番組関連情報は、ＥＰＧ表示又は音声案内に関する情報であることを特徴とする請求項１に記載の電子機器。  
【請求項３】
放送番組を選局するチューナ部と、
公衆回線と接続するためのインターフェイス部と、
あるイベントを検出するイベント検出部と、
該イベント検出部がイベントを検出した際に前記インターフェイス部と前記公衆回線とを介して外部の携帯端末に通知するとともに、前記イベントに関連するイベント関連情報を前記公衆回線を介して送信要求元の前記外部の携帯端末に対して送信する制御を行う制御部と
を有する電子機器。
【請求項４】
前記イベント関連情報は、緊急放送又は番組の予約時間に近づいた旨の情報であることを特徴とする請求項３に記載の電子機器。
【請求項５】
前記制御部は、前記放送番組関連情報又はイベント関連情報を前記携帯電話機に記憶させる制御を行うことを特徴とする請求項１から４までのいずれか１項に記載の電子機器。
【請求項６】
放送番組を選局するチューナ部と、公衆回線と接続するためのインターフェイス部と、を有する電子機器による遠隔通信方法であって、
外部の携帯端末からの呼び出しを検出して、放送番組関連情報を前記外部の携帯端末に送信するステップと、
前記外部の携帯端末からの要求に応じて、放送番組を前記外部の携帯端末に対して送信するステップと
を有することを特徴とする遠隔通信方法。
【請求項７】
放送番組を選局するチューナ部と、公衆回線と接続するためのインターフェイス部と、イベント検出部と、を有する電子機器による遠隔通信方法であって、
あるイベントを検出した際に前記インターフェイス部と前記公衆回線とを介して外部の携帯端末に通知するステップと、
該通知に対する応答として、前記イベントに関連するイベント関連情報を前記公衆回線を介して送信要求元の前記外部の携帯端末に対して送信するステップと
を有することを特徴とする遠隔通信方法。
【請求項８】
コンピュータに請求項６又は７に記載のステップを実行させるためのプログラム。
【発明の詳細な説明】
【技術分野】
【０００１】
本発明は、遠隔通信技術に関し、特に、携帯端末と自宅のセットトップボックス（以下、ＳＴＢと称する。）との間で情報のやり取りを簡便に行う技術に関する。  
【背景技術】
【０００２】
最近では、携帯電話が大いに普及し、遠隔から携帯電話間の通話、或いは自宅の固定電話との間の通話が気軽にできるようになっている。また、デジタル放送の開始とともに、自宅にＳＴＢを設置してデジタル放送を受信して楽しむ家庭が増えている。例えば特許文献１には、文字・画像表示装置を備えた携帯電話やＰＨＳ等の移動体通信端末とテレビ受像機・録画装置のリモコンを一体化することで、テレビ放送番組表の電子的配信とそれを利用した番組選択、テレビ録画器機への録画予約手続を可能にし、テレビ視聴率調査において、テレビ視聴者一人あたりの番組視聴頻度・時間・嗜好傾向等を把握可能にし、テレビ広告から顧客を直ちにコンピュータ・ネットワーク上での電子商取引に誘導することを可能にする技術が開示されている。
【０００３】
【特許文献１】特開２００２−１３５８１０号公報
【発明の開示】
【発明が解決しようとする課題】
【０００４】
しかしながら、上記技術は、文字・画像表示装置を備えた携帯電話やＰＨＳ等の移動体通信端末とテレビ受像機・録画装置のリモコンを一体化することが前提となっており、一般に普及している携帯電話機によるものではないため、実際には携帯電話機側にも特別な仕組みが必要になる。
【０００５】
ところで、出張などで自宅から遠隔地にでかけた際に、例えば自宅周辺における放送に関連する情報を知ること、或いは、遠隔地から自宅の放送に関して働きかけを行うことができれば便利である。この際、携帯電話側に特別な仕組みが必要とならないことが好ましい。
【０００６】
本発明は、遠隔からの簡便な通信技術を提供することを目的とする。
【課題を解決するための手段】
【０００７】
本発明は、携帯端末と自宅周辺のＴＶ放送に関する情報を自宅やオフィスなどに設置されたＳＴＢとの間で公衆回線を用いて情報のやり取りを行う技術である。そのために、ＳＴＢに公衆電話とのインターフェイス部を設ける。これにより、公衆回線を介して携帯電話機と遠隔通信を行うことができる。
【０００８】
また、緊急放送などのあるイベントを検出し、このイベント検出を携帯電話機に通知することにより、携帯電話機からの応答を促し、次いで、イベントに関する情報を携帯電話機に送るようにすれば、携帯電話のユーザは、特に意識しなくても、あるイベントに関する自宅周辺の情報を入手することができる。
【発明の効果】
【０００９】
本発明によれば、出張などで自宅から遠隔地にでかけた際に、携帯電話機などのモバイル機器から、或いは、遠隔地から自宅のＳＴＢなどの自宅周辺の情報ソースに対して公衆回線を介して働きかけを行うことにより、例えば自宅周辺における放送に関連する情報を簡単に知ることができるという利点がある。
【発明を実施するための最良の形態】
【００１０】
以下、本発明の第１の実施の形態による遠隔通信システムについて図面を参照しつつ説明を行う。図１は、本発明の実施の形態による遠隔通信システムの一構成例を示す図である。図１に示すように、本発明の実施の形態による遠隔通信システムＡは、例えば自宅に設置されたＳＴＢ１と、ユーザが携帯する携帯電話機４１とを有している。携帯電話機４１は一般的な携帯電話機であり、通話機能と通信機能とを有している。
【００１１】
ＳＴＢ１は、アンテナ３と、チューナ５と、変調器７と、デコーダ１１と、ＣＰＵ（制御部）１５と、ビデオ／オーディオデータ信号処理部２１と、メモリ２３と、電話回線（公衆回線）との間でのデータのやり取りを行うためのインターフェイス回路２５と、公衆回線とのインターフェイス部２５ａと、を有している。ＣＰＵ（制御部）１５と、ビデオ／オーディオデータ信号処理部２１と、メモリ２３と、インターフェイス回路２５と、は、バスラインＢＬを介して信号のやり取りを行う。ＳＴＢ１には、表示部２７と、音声出力部（スピーカ）３１と、が外付けされている。
【００１２】
携帯電話機４１とＳＴＢ１とは、例えば携帯電話網などの公衆回線を介して、通話及び通信が可能である。上記インターフェイス回路２５は、１）ＳＴＢシステムを通話モードにすることができる、２）携帯電話機４１からコマンドを受け取る、３）受け取ったコマンドを携帯電話機４１のキー操作と関連付けるコードに変換し、４）例えば、ＴＶプログラムを携帯電話機に対して公衆回線を介して音声又は映像の少なくともいずれか一方により送る、などの機能をＳＴＢ１に付与する。
【００１３】
図２は、本実施の形態による遠隔通信システムにおけるデータのやり取りを示す遷移図である。図２に示すように、まず、携帯電話機４１からＳＴＢ１に対して呼び出しを行う（５１）。ＳＴＢ１のインターフェイス部２５ａにおいて、携帯電話機４１からの呼び出しを検出すると、アンテナ３からチューナ５を介してＥＰＧ又は音声案内（ガイダンス）を取得し、これを携帯電話機４１に公衆回線を介して送信する（５３）。
【００１４】
携帯電話機４１は、ＥＰＧを見てＳＴＢ１に対して例えば８時から９時までＣＨ１０１との視聴リクエストを行う（５４）。ＳＴＢ１は、このリクエストをデコーダ１１によりデコードし（５５）、リクエストに応じたコンテンツ送信（８時から９時、ＣＨ１０１）を行う（５６）。通信が終了すると（５７）、携帯電話機４１が通信終了メッセージをＳＴＢ１に送る（５８）。ＳＴＢ１は送信を終了する（５９）。以上のようにして、携帯電話機４１からのコンテンツ送信要求に応じて、ＳＴＢ１がコンテンツを送信する処理を終了する。尚、コンテンツは、音声又は映像のうち少なくともいずれか一方である。
【００１５】
図３は、予約終了時間による送信終了に関する遷移図であり、図２とは送信終了に関する処理が異なる。まず、携帯電話機４１からＳＴＢ１に対して呼び出しを行うと（６１）、ＳＴＢ１において呼び出しを検出する（６２）。呼び出し検出に応じてＥＰＧ又は音声案内（ガイダンス）を携帯電話機４１に対して送信し、これを見て、携帯電話機４１からＳＴＢ１に対して番組予約のリクエスト（６４）が行われる。このリクエストをデコーダ１１によりデコードし（６５）、リクエストに応じたコンテンツ送信を行う（６６）。リクエスト終了時間に達すると（６７）、ＳＴＢ１は携帯電話機４１に対して送信終了を通知し（６８）、送信を終了する（６９）。この例では、コンテンツの送信時間をＳＴＢ１側で管理し、コンテンツの送信が終了すると、ＳＴＢ１側から送信終了のお知らせが携帯電話機４１に送られる。
【００１６】
以上、本実施の形態による遠隔通信システムによれば、携帯電話機４１からＳＴＢ１へのコンテンツ送信要求に応じてＳＴＢ１から携帯電話機４１に対してコンテンツが送信される。この際、携帯電話機４１側からのコンテンツ送信要求に応じて、ＳＴＢ１側においてコンテンツを送信することができるため、携帯電話機４１からＳＴＢＶ１にコンテンツ情報を要求し、取得することができる。例えば、ＳＴＢ１からのＥＰＧなどの要求により、ＳＴＢ１は公衆回線を介して携帯電話機４１はコンテンツの送信を受けることができる。
【００１７】
例えば、携帯電話機４１を用いて、遠隔地から自宅に設置してあるＳＴＢ１に公衆回線を介してアクセスすることにより、まず、ＳＴＢ１からＥＰＧ表示用データを送信してもらい、表示させたＥＰＧデータに基づいて例えばその地方特有の番組のコンテンツを送信してもらうように予約したり視聴要求をしたりすることができる。これにより、実際のコンテンツそのもの又はその携帯電話機視聴用のコンテンツ（例えば、一般のＴＶなどにより視聴する場合に比べてデータ容量の少ない動画又は静止画など）を取得することができる。例えば、コンテンツとしては、ＳＴＢ１が設置されているその地方においてのみ放送されている番組や、その地方の緊急放送（津波や地震などの地方特有の詳細な情報）を得ることができるという利点がある。
【００１８】
次に、本実施の形態による遠隔通信システムの変形例について説明する。上記第１の実施の形態による遠隔通信システムでは、携帯電話機４１からＳＴＢ１へＥＰＧデータを要求し、これに応じてＳＴＢ１から携帯電話機４１に対して、ＥＰＧ表示を含むＥＰＧ選択用のＧＵＩ用データが送られ、これに基づいて番組予約を行う番組予約申し込みを行う例について説明した。本第１変形例においては、携帯電話機４１からＳＴＢ１への番組予約要求に対して、ＳＴＢ１から携帯電話機４１に対して以下に示すような音声ナビゲートが行われる。
【００１９】
１）時間帯を入力してください。
２）チャネル番号を入力してください。
３）ＯＫであれば、♯を押してください。
【００２０】
携帯電話機４１のユーザは、上記のような音声ナビゲートに応じて、時間帯とチャネルと♯とを操作ボタンから時間他等を入力することにより、入力データがＳＴＢ１に送られることで、遠隔から自宅のＳＴＢ１に公衆回線を介して番組予約を行うことができる。
【００２１】
尚、上記変形例においては、音声でナビゲート例について説明したが、入力を促す画面表示により、ナビゲートする方法でも良い。
【００２２】
次に、本発明の第２の実施の形態による遠隔通信システムについて図面を参照しつつ説明を行う。本実施の携帯による遠隔通信システムは、ＳＴＢ側から携帯電話機側に対してまず働きかけが行われる。この場合、まず、ＳＴＢ１側において、例えば緊急放送などのイベントが発生した場合には、その旨を携帯電話機４１に知らせるための呼び出しを行うように、設定がなされている。
【００２３】
図４は、本実施の形態による遠隔通信システムにおけるＳＴＢから携帯電話機への働きかけに応じた一連の通信手順の一例を示す遷移図である。図４に示すように、まず、ＳＴＢ１において例えば緊急放送を検出、或いは、番組予約時間になった旨を検出すると（７１）、ＳＴＢ１のインターフェイス部２５ａから公衆回線とを介して携帯電話機４１に対して、呼び出し（７２）が行われる。呼び出しに応じて、携帯電話が呼び出しを検出すると（７３）、携帯電話機４１からＳＴＢ１に応答が送られる（７４）。この応答を受けてＳＴＢ１は、コンテンツを携帯電話機４１に送る（７５）。携帯電話機４１において通信が終了すると（７６）、通信終了メッセージ（７７）がＳＴＢ１に送られ、ＳＴＢ１側で通信終了を確認する（７８）。次いで、ＳＴＢ１からの送信を終了する（７９）。尚、緊急放送の検出、或いは、番組予約時間になった旨の検出は、通信信号に重畳されるフラグの有無等にも基づいて判断させるようにすることができる。
【００２４】
図５は、予約終了時間による送信終了の場合の遷移図である。図５に示すように、まず、ＳＴＢ１において例えば緊急放送を検出、或いは、番組予約時間になった旨を検出すると（８１）、ＳＴＢ１のインターフェイス部２５ａから公衆回線とを介して携帯電話機４１に対して、呼び出し（８２）が行われる。呼び出しに応じて、携帯電話が呼び出しを検出すると（８３）、携帯電話機４１からＳＴＢ１に応答が送られる（８４）。この応答を受けてＳＴＢ１は、コンテンツを携帯電話機４１に送る（８５）。ＳＴＢ１側で予約終了時間又は緊急放送の終了を検出すると（８６）、送信終了のお知らせ（８７）が携帯電話機４１に送られ、ＳＴＢ１側で送信を終了する（８８）。
【００２５】
以上、本実施の形態による遠隔通信システムによれば、ＳＴＢ１が設定に応じて携帯電話機４１を呼び出し、これに応答するとコンテンツがＳＴＢ１から携帯電話機４１に送られるようになっているため、ＳＴＢ１からの通知に応じて応答を行えばよいため、特に携帯電話機４１側では意識しなくても、所望のコンテンツを遠隔地において取得することができる。
【００２６】
例えば、自宅に設置してあるＳＴＢ１が設定に応じて公衆回線を介して携帯電話機４１にアクセスすることにより、例えばその地方特有の番組のコンテンツ又はその地方の緊急放送を送信してもらうことができるため、常時、ユーザ側でアクションを起こさなくても、必要な情報を得ることができるという利点がある。また、例えば携帯電話機４１側のメモリに送られてきたコンテンツを保存しておけば、その場でなくても後からゆっくりとコンテンツの概要を確認することもできる。この場合、コンテンツの視聴に関する緊急性の度合いに応じて、呼び出し音の種類などを変更しておいても良い。
【００２７】
尚、公衆回線では動画や画像を送りにくい。そこで、メール（テキスト）や音声データで送るようにしても良い。また、リアルタイムに自宅のＴＶ情報を携帯電話機に送るようにすることも可能である。
【００２８】
以上、本発明の各実施の形態による遠隔通信システムによれば、自宅から遠隔地に出張した場合などにおいて、携帯電話機などのモバイル機器から、或いは、遠隔地から自宅のＳＴＢなどの自宅周辺の情報ソースに対して公衆回線を介して働きかけを行うことにより、例えば自宅周辺における放送に関連する情報を簡単に知ることができるという利点がある。
【００２９】
尚、本実施の形態においては、ＳＴＢと携帯電話機との遠隔通信を例にして説明したが、ＳＴＢは、例えば自宅の記録再生装置などの電子機器であっても携帯電話機との間で通信が可能であれば良い。一方、携帯電話機は、ＰＤＡやノートＰＣなどの他のモバイル機器であっても良い。
【産業上の利用可能性】
【００３０】
本発明は、自宅周辺の情報機器と形態電話機との間の遠隔通信を簡便にするシステムとして利用可能である。
【図面の簡単な説明】
【００３１】
【図１】本発明の第１の実施の形態による遠隔通信システムの一構成例を示す図である。
【図２】本発明の第１の実施の形態による遠隔通信システムにおけるデータのやり取りを示す遷移図である。
【図３】予約終了時間による送信終了に関する遷移図であり、図２とは送信終了に関する処理が異なる図である。
【図４】本発明の第２の実施の形態による遠隔通信システムにおけるＳＴＢから携帯電話機への働き変えに応じた一連の通信手順の一例を示す遷移図である。
【図５】予約終了時間による送信終了の場合の遷移図である。
【符号の説明】
【００３２】
Ａ…遠隔通信システム、１…ＳＴＢ、３…アンテナ、５…チューナ、７…変調器、１１…デコーダ、１５…ＣＰＵ、２１…ビデオ／オーディオデータ処理部、２３…メモリ、２５…インターフェイス回路、２５ａ…インターフェイス部、４１…携帯電話機。
【図１】
2006115067.tif 000003
【図２】
2006115067.tif 000004
【図３】
2006115067.tif 000005
【図４】
2006115067.tif 000006
【図５】
2006115067.tif 000007